(57)【特許請求の範囲】
【請求項１】
平板状の板状ケーブルに形成されたケーブル端子部が嵌め込まれる凹溝状のケーブル嵌合部を上面側に配したハウジングと、前記ケーブル嵌合部内に底面側より突出させた弾性接触部を各々有する複数のコンタクトとを備え、前記ケーブル嵌合部に前記ケーブル端子部を嵌め込むことにより、前記弾性接触部と前記ケーブル端子部の片面側に露出させた信号配線用端子とを互いに弾性接触させるようにした板状ケーブル用コネクタであって、
前記ハウジングは、前記ケーブル嵌合部両内側面上縁部よりコネクタ幅方向内向きに張り出して前記ケーブル端子部の浮き上がり方向の移動を規制する浮き上がり防止片と、該浮き上がり防止片のコネクタ奥行き方向奥側に配置され、前記ケーブル端子部側部に形成された被係合部のコネクタ奥行き方向奥側縁が当て止めされる当て止め部と、前記浮き上がり防止片のコネクタ奥行き方向手前側に配置された弾性抜け止め部材とを備え、
該弾性抜け止め部材は、前記ケーブル嵌合部内に出入り可能に突出し、前記被係合部のコネクタ奥行き方向手前側に向けた移動を規制する弾性係止片を有し、前記弾性係止片は、底板側に押圧されることにより前記ケーブル嵌合部より退避する方向に移動するようにしたことを特徴としてなる板状ケーブル用コネクタ。
【請求項２】
前記弾性係止片は、一端を前記ハウジングに支持させたガイド片と、該ガイド片の他端側に配置され、前記被係合部のコネクタ奥行き方向手前側縁と互いに係合する係止部とを備え、前記ガイド片は、前記係止部側をコネクタ幅方向内向き下側に向けて傾斜させた形状に形成された請求項１に記載の板状ケーブル用コネクタ。
【請求項３】
前記弾性抜け止め部材又は前記ハウジングは、前記弾性係止片のコネクタ奥行き方向手前側に前記弾性係止片の側縁と対向する配置に変形防止用ガイド片を備えた請求項１又は２に記載の板状ケーブル用コネクタ。
【請求項４】
前記弾性抜け止め部材は、前記弾性係止片と互いに平行な二股状に形成された弾性押上片を備え、該弾性押上片は、前記弾性係止片のコネクタ奥行き方向奥側に配置された請求項１、２又は３に記載の板状ケーブル用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）等の板状ケーブルを接続基板に接続するための板状ケーブル用コネクタに関する。
【背景技術】
【０００２】
従来、この種の板状ケーブル用コネクタには、上面側に凹溝状のケーブル嵌合部を有するハウジングと、ハウジングの底面部よりケーブル嵌合部内に弾性的に突出させた弾性接触部を有する複数のコンタクトとを備え、板状ケーブル端部に配置されたケーブル端子部を上面側よりケーブル嵌合部に嵌め込み、ケーブル端子部の下面側に露出させた各信号配線用端子を弾性接触部と弾性接触させることにより、板状ケーブルと接続基板とを電気的に接続させるようにした所謂トップエントリー型のものが知られている（例えば、特許文献１）。
【０００３】
このようなケーブル用コネクタでは、ケーブル嵌合部の両内側上縁部よりコネクタ幅方向内側に向けて突出させた係合部材が備えられ、この係合部材が板状ケーブルの上面部と互いに係合することにより板状ケーブルの浮き上がりを防止している。
【０００４】
この係合部材は、先端側をコネクタ幅方向内側下向きに折り曲げた形状に形成され、板状ケーブルを上面側より嵌め込んだ際に板状ケーブルの下面に押圧されてケーブル嵌合部内より退避する方向に弾性変形し、板状ケーブルが収容部内に嵌め込まれた後、弾性復帰して板状ケーブルの上面部に係合するようになっている。
【先行技術文献】
【特許文献】
【０００５】
【特許文献１】実開平５−９７０７７号公報
【発明の概要】
【発明が解決しようとする課題】
【０００６】
しかしながら、上述の如き従来の技術では、板状ケーブルを上面側より嵌め込んだ際にケーブル嵌合部内より退避する方向に弾性変形し、然る後弾性復帰してケーブル上面部に係合する構造を有する係合部材をケーブル嵌合部の内側上面部に配置するためコネクタ厚さ方向の嵩が増し、そのためにコネクタ全体の低背化が困難であるという問題があった。
【０００７】
また、コネクタ奥行き方向において板状ケーブルをコンタクトの接触圧により保持しているため、振動や落下により抜けてしまうおそれがあった。
【０００８】
そこで、本発明は、このような従来の問題に鑑み、ＦＰＣ等の板状ケーブルを容易且つ確実に接続でき、しかも低背化が可能な板状ケーブル用コネクタの提供を目的としてなされたものである。
【課題を解決するための手段】
【０００９】
上述の如き従来の問題を解決し、所期の目的を達成するための請求項1に記載の発明の特徴は、平板状の板状ケーブルに形成されたケーブル端子部が嵌め込まれる凹溝状のケーブル嵌合部を上面側に配したハウジングと、前記ケーブル嵌合部内に底面側より突出させた弾性接触部を各々有する複数のコンタクトとを備え、前記ケーブル嵌合部に前記ケーブル端子部を嵌め込むことにより、前記弾性接触部と前記ケーブル端子部の片面側に露出させた信号配線用端子とを互いに弾性接触させるようにした板状ケーブル用コネクタであって、前記ハウジングは、前記ケーブル嵌合部両内側面上縁部よりコネクタ幅方向内向きに張り出して前記ケーブル端子部の浮き上がり方向の移動を規制する浮き上がり防止片と、該浮き上がり防止片のコネクタ奥行き方向奥側に配置され、前記ケーブル端子部側部に形成された被係合部のコネクタ奥行き方向奥側縁が当て止めされる当て止め部と、前記浮き上がり防止片のコネクタ奥行き方向手前側に配置された弾性抜け止め部材とを備え、該弾性抜け止め部材は、前記ケーブル嵌合部内に出入り可能に突出し、前記被係合部のコネクタ奥行き方向手前側に向けた移動を規制する弾性係止片を有し、前記弾性係止片は、底板側に押圧されることにより前記ケーブル嵌合部より退避する方向に移動するようにしたことを特徴としてなる板状ケーブル用コネクタ。
【００１０】
請求項２に記載の発明の特徴は、請求項１の構成に加え、前記弾性係止片は、一端を前記ハウジングに支持させたガイド片と、該ガイド片の他端側に配置され、前記被係合部のコネクタ奥行き方向手前側縁と互いに係合する係止部とを備え、前記ガイド片は、前記係止部側をコネクタ幅方向内向き下側に向けて傾斜させた形状に形成されたことにある。
【００１１】
請求項３に記載の発明の特徴は、請求項１又は２の構成に加え、前記弾性抜け止め部材又は前記ハウジングは、前記弾性係止片のコネクタ奥行き方向手前側に前記弾性係止片の側縁と対向する配置に変形防止用ガイド片を備えたことにある。
【００１２】
請求項４に記載の発明の特徴は、請求項１、２又は３の構成に加え、前記弾性抜け止め部材は、前記弾性係止片と互いに平行な二股状に形成された弾性押上片を備え、該弾性押上片は、前記弾性係止片のコネクタ奥行き方向奥側に配置されたことにある。
【発明の効果】
【００１３】
本発明に係る板状ケーブル用コネクタは、上述したように、平板状の板状ケーブルに形成されたケーブル端子部が嵌め込まれる凹溝状のケーブル嵌合部を上面側に配したハウジングと、前記ケーブル嵌合部内に底面側より突出させた弾性接触部を各々有する複数のコンタクトとを備え、前記ケーブル嵌合部に前記ケーブル端子部を嵌め込むことにより、前記弾性接触部と前記ケーブル端子部の片面側に露出させた信号配線用端子とを互いに弾性接触させるようにした板状ケーブル用コネクタであって、前記ハウジングは、前記ケーブル嵌合部両内側面上縁部よりコネクタ幅方向内向きに張り出して前記ケーブル端子部の浮き上がり方向の移動を規制する浮き上がり防止片と、該浮き上がり防止片のコネクタ奥行き方向奥側に配置され、前記ケーブル端子部側部に形成された被係合部のコネクタ奥行き方向奥側縁が当て止めされる当て止め部と、前記浮き上がり防止片のコネクタ奥行き方向手前側に配置された弾性抜け止め部材とを備え、該弾性抜け止め部材は、前記ケーブル嵌合部内に出入り可能に突出し、前記被係合部のコネクタ奥行き方向手前側に向けた移動を規制する弾性係止片を有し、前記弾性係止片は、底板側に押圧されることにより前記ケーブル嵌合部より退避する方向に移動するようにしたことにより、ＦＰＣ等の板状ケーブルを容易且つ確実に基板に接続させることができる。
【００１４】
また、本発明において、前記弾性係止片は、一端を前記ハウジングに支持させたガイド片と、該ガイド片の他端側に配置され、前記被係合部のコネクタ奥行き方向手前側縁と互いに係合する係止部とを備え、前記ガイド片は、前記係止部側をコネクタ幅方向内向き下側に向けて傾斜させた形状に形成されたことにより、板状ケーブルを上面側より押し込んだ際に、該板状ケーブルをコネクタ幅方向の正しい位置に誘導し、容易に接続できる。
【００１５】
さらに本発明において、前記弾性抜け止め部材又は前記ハウジングは、前記弾性係止片のコネクタ奥行き方向手前側に前記弾性係止片の側縁と対向する配置に変形防止用ガイド片を備えたことにより、弾性係止片の変形が防止され、確実な嵌合状態を維持することができる。
【００１６】
更にまた、本発明において、前記弾性抜け止め部材は、前記弾性係止片と互いに平行な二股状に形成された弾性押上片を備え、該弾性押上片は、前記弾性係止片のコネクタ奥行き方向奥側に配置されたことにより、板状ケーブルを弾性抜け止め部材を介して容易且つ確実に接続基板に形成されたグランドパターン等に接続させることができる。
【図面の簡単な説明】
【００１７】
【図１】本発明に係る板状ケーブル用コネクタの一例を示す斜視図である。
【図２】同上の板状ケーブルの取付け方向を違えた例を示す斜視図である。
【図３】図1中の板状ケーブルの一例を示す底面図である。
【図４】（ａ）は図１中のハウジング部を示す上側から見た斜視図、（ｂ）は同底面側から見た斜視図である。
【図５】（ａ）は図４中の弾性抜け止め部材の一例を示す平面図、（ｂ）は同正面図、（ｃ）は同底面図である。
【図６】（ａ）は図４中のホールドダウン部材を示す斜視図、（ｂ）は同底面側から見た斜視図である。
【図７】（ａ）〜（ｃ）はハウジングに板状ケーブルを装着する手順を説明するための斜視図である。
【図８】本発明に係る板状ケーブル用コネクタの他の一例を示す斜視図である。
【図９】図８中の板状ケーブルを示す底面図である。
【図１０】図８中のハウジングを示す斜視図である。
【発明を実施するための形態】
【００１８】
次に、本発明に係る板状ケーブル用コネクタの実施の態様を図１〜図７に示した実施例に基づいて説明する。尚、図中符号１は板状ケーブル用コネクタ、Ｂは接続基板、ＣはＦＰＣ等の板状ケーブルである。
【００１９】
この板状ケーブル用コネクタ１は、図１、図２に示すように、上面側に凹溝状のケーブル嵌合部２を有するハウジング３と、ハウジング３の底面部よりケーブル嵌合部２内に弾性的に突出させた弾性接触部４を各々有する複数のコンタクト５、５...とを備え、板状ケーブルＣの端部に形成されたケーブル端子部６をケーブル嵌合部２に嵌め込み、ケーブル端子部６の片面側に露出させた各信号配線用端子Ｓ，Ｓ...を各弾性接触部４，４...と弾性接触させることにより、板状ケーブルＣと接続基板Ｂとを電気的に接続させるようになっている。
【００２０】
板状ケーブルＣは、図３に示すように、可撓性を有する素材をもって細長板状に形成され、その一方の端部には、片面側に複数の信号配線端子Ｓ，Ｓ...をケーブル幅方向に間隔を置いた配置に露出させたケーブル端子部６が形成されている。
【００２１】
ケーブル端子部６は、両側部に外向きに突出した被係合部７，７を備え、板状ケーブルＣの端部がケーブル幅方向に幅広に形成されている。
【００２２】
このケーブル端子部６の配線端子Ｓ，Ｓ...とは反対側面には、薄板状の補強板８が貼り合わされ、この補強板８は、導電性金属材をもって構成され、外来ノイズに対するシールド効果を発揮するようになっている。
【００２３】
ハウジング３は、図４に示すように、絶縁樹脂製のモールド部材１０と、導電性金属材からなるホールドダウン部材１１とをもって一体的に形成され、上面側にコネクタ奥行き方向に貫通した凹溝状のケーブル嵌合部２を有し、このケーブル嵌合部２にケーブル端子部６が嵌め込まれ、且つコネクタ奥行き方向の何れ側にも板状ケーブルＣが延出できるようになっている。
【００２４】
モールド部材１０は、板状の底板部１２と、底板部１２のコネクタ幅方向両側縁より上向きに立ち上げた形状の側壁部１３，１３とを備え、両側壁部１３，１３間にケーブル嵌合部２が形成されている。
【００２５】
底板部１２は、コネクタ幅方向に長い矩形状に形成され、その中央部に厚み方向に貫通した中央開口部１４が形成されている。
【００２６】
また、底板部１２には、中央開口部１４のコネクタ奥行き方向手前側部にインサート成形により各コンタクト５，５...の一部が埋設され、弾性接触部４側をコネクタ奥行き方向奥側に向けて各コンタクト５，５...がコネクタ幅方向に間隔を置いた平行配置に組み込まれている。
【００２７】
各コンタクト５，５...は、導電性金属材を打ち抜き・折り曲げ加工することにより形成され、細長板状の基部１５と、基部１５の一方の端部より上向きに傾けて折り曲げた形状の弾性接触部４と、基部１５の他方の端部より下向きに傾斜した連結部１６と、連結部１６より水平方向に向けて折り曲げた形状の基板接続部１７とを備えている。
【００２８】
コンタクト５は、基部１５の一部及び連結部１６がモールド部材１０に埋設され、弾性接触部４が基部１５に支持されて上下方向に弾性変形できるようになっている。尚、各弾性接触部４，４...は、下側に中央開口部１４が配置されており、弾性変形時に底板部１２と干渉しないようになっている。
【００２９】
一方、基板接続部１７は、連結部１６の一端よりコネクタ奥行き方向手前側に向けて延出され、ハウジング３底面に露出し、接続基板Ｂに形成された端子パターンＰ，Ｐ...に半田付けされるようになっている。
【００３０】
また、モールド部材１０の底板部１２には、コネクタ奥行き方向手前側両側部に切欠き部１８，１８が形成され、この切欠き部１８に弾性抜け止め部材２０がインサート成型により一体的に組み込まれている。
【００３１】
弾性抜け止め部材２０は、図５に示すように、導電性金属板材を打ち抜き、折り曲げ加工することにより一体に形成され、平板状の固定板部２１と、固定板部２１の側縁より垂直上向きに折り曲げた形状の支持部２２と、支持部２２の上縁に支持された弾性係止片２３とを備えている。
【００３２】
固定板部２１は、矩形状の本体２１ａと、本体２１ａの一方の隅部に配置された固定用突片２１ｂとをもって形成され、本体２１ａ及び固定用突片２１ｂには、モールド部材１０側の縁部に沿って底面側に段差部２４，２４...が形成されている。
【００３３】
このように本体２１ａ及び固定用突片２１ｂに各々段差部２４を設けたことにより、インサート成型時に絶縁性樹脂が段差部２４，２４に入り込み、それにより弾性抜け止め部材２０が固定板部２１をハウジング３底面に露出させた状態でモールド部材１０に固定できるようになっている。
【００３４】
また、固定板部本体２１ａには、支持部２２と直交する配置に変形防止ガイド片部２５が形成されている。
【００３５】
この変形防止ガイド片部２５は、固定板部本体２１ａ縁部より上向きに折り曲げた形状に形成され、弾性係止片２３のコネクタ奥行き方向手前側且つ弾性係止片２３の側縁と互いに対向する配置に形成され、弾性係止片２３の変形を防止するようになっている。
【００３６】
一方、支持部２２は、モールド部材１０に組み込まれた際にハウジング３側面に露出する位置になるように形成されている。
【００３７】
また、弾性係止片２３は、支持部２２の上縁よりコネクタ幅方向内側下方に向けて傾斜した形状のガイド片部２６と、ガイド片部２６のコネクタ幅方向内側に配置された係止部２７とを備え、支持部２２側端部を基軸に上下方向で弾性変形できるようになっている。
【００３８】
ガイド片部２６は、先端がコネクタ幅方向でケーブル嵌合部２の内側面と略同じ位置且つ内底面と略同じ高さとなるように形成され、板状ケーブルＣを装着する際の位置決め用ガイドとして機能するようになっている。
【００３９】
係止部２７は、ガイド片先端部より上方に膨出した円弧状に折り曲げた形状に形成され、ケーブル嵌合部２側部のコネクタ奥行き方向手前側部に出入り可能に突出し、この係止部２７を上方より押圧することにより弾性係止片２３が弾性変形してケーブル嵌合部２内より退避する方向に移動し、押圧力が解除されると弾性復帰してケーブル嵌合部２内に突出するようになっている。
【００４０】
ホールドダウン部材１１は、図６に示すように、導電性金属板材を打ち抜き・折り曲げ加工することにより一体に形成され、コネクタ幅方向に長い細長板状のフレーム部３０と、フレーム部３０の両側部より上向きに折り曲げた形状の当て止め部片３１，３１と、当て止め部片３１より水平方向外向きに折り曲げた配置の上板片３２と、上板片３２の側縁より下向きに折り曲げた形状の側板片３３と、側板片３３の下縁より内向きに折り曲げた形状の基板接続片３４とを備えている。
【００４１】
また、ホールドダウン部材１１には、上板片３２、側板片３３及び基板接続片３４をもって断面コ字状の固定部３５が形成され、この固定部３５が側壁部１３の外側面部に嵌め込まれ、モールド部材１０とホールドダウン部材１１とを一体化させるようになっている。
【００４２】
フレーム部３０は、コネクタ奥行き方向奥側縁部にモールド部材１０の底面部縁部と互いに係合される凹部３０ａが形成され、この凹部３０ａがモールド部材１０の底面縁部１２ａと係合することによりモールド部材１０に対するホールドダウン部材１１のコネクタ奥行き方向の移動が規制されるようになっている。
【００４３】
当て止め部片３１は、ホールドダウン部材１１とモールド部材１０とを組み込むことによりケーブル嵌合部２の内側部且つコネクタ奥行き方向奥側に配置されて当て止め部を構成し、板状ケーブルＣをケーブル嵌合部２に嵌め込んだ際に、この当て止め部３１，３１に被係合部７のコネクタ奥行き方向奥側縁が当て止めされるようになっている。
【００４４】
上板片３２は、コネクタ幅方向の幅が側壁部１３の壁厚より長く、且つ当て止め部片３１よりコネクタ奥行き方向手前側に向けて延長された矩形状に形成され、ホールドダウン部材１１とモールド部材１０とを一体化させることにより内側縁部が側壁部１３の上縁より内側に張り出し、ケーブル嵌合部２のコネクタ奥行き方向奥側にケーブル嵌合部２内側面上縁部よりコネクタ幅方向内向きに張り出した薄板状の浮き上がり防止片３６として機能するようになっている。
【００４５】
基板接続片３４は、ハウジング３底面に露出し、接続基板Ｂに形成された固定用パターンに半田付けにより固定され、それによりハウジング３全体が接続基板Ｂに接続されるようになっている。
【００４６】
このように構成された板状ケーブル用コネクタ１は、図７（ａ）〜（ｂ）に示すように、ケーブル端子部６をケーブル嵌合部２の奥行方向手前側でハウジング３上面側より底板側に向けて押し込み、更に、図７（ｂ）〜（ｃ）に示すように、その状態でコネクタ奥行き方向奥側に向けてケーブル端子部６をスライド移動させることにより板状ケーブルＣをケーブル嵌合部２に嵌め込み、各コンタクト５，５...の弾性接触部４と板状ケーブルＣの信号配線用端子Ｓ，Ｓ...とを弾性的に接触させるようになっている。
【００４７】
このケーブル端子部６をハウジング３上面側より底板側に向けて押し込む際には、ガイド片部２６，２６が互いにコネクタ幅方向内側に向けて傾斜しているのでケーブル端子部６のコネクタ幅方向位置がケーブル嵌合部２の位置から逸脱していてもガイド片部２６，２６によってハウジング中央側に誘導されるようになっている。
【００４８】
また、弾性係止片２３は、板状ケーブルＣの被係合部７，７下面により底板側に押圧されてケーブル嵌合部２より退避する方向に弾性変形し、ケーブル端子部６をケーブル嵌合部２に向けて水平スライド移動させる際にその移動を阻害しないようになっている。
【００４９】
一方、ケーブル端子部６をスライド移動させると被係合部７が浮き上がり防止片３６，３６下に挿入されるとともに、被係合部７のコネクタ奥行き方向奥側縁が当て止め部３１，３１に当て止めされてケーブル端子部６がケーブル嵌合部２内に嵌り込み、ケーブル端子部６の移動に伴い被係合部７の位置が弾性係止片２３上より移動すると、弾性係止片２３，２３が押圧された状態から解除されて弾性復帰し、被係合部７のコネクタ奥行き方向手前側に向けた移動を規制するようになっている。
【００５０】
このように板状ケーブル用コネクタ１では、容易に板状ケーブルＣをケーブル嵌合部２内に嵌め込むことができ、また、浮き上がり防止片３６，３６により板状ケーブルＣの浮き上がり方向の移動が規制されるとともに、被係合部７が当て止め部３１と弾性係止片２３との間に挟持されてコネクタ奥行き方向の移動が規制されるので、確実に装着がなされ、振動や落下により板状ケーブルＣがハウジング３より離脱することを防止することができる。
【００５１】
また、ケーブル端子部６が弾性接触部４，４...により上向きに押圧され、補強板８が浮き上がり防止片３６，３６に圧接されているので、補強板８がホールドダウン部材１１を介してグランド接続されシールド材として機能するようになっている。
【００５２】
尚、本発明に係る板状ケーブル用コネクタは、上述の実施例で説明した弾性抜け止め部材２０に換えて図８〜図１０に示すように弾性抜け止め部材４０，４０を使用したものであってもよい。尚、図中符号４１は弾性抜け止め部材４０を使用した板状ケーブル用コネクタ、符号Ｃ２はＦＰＣ等の板状ケーブルであり、また、上述の実施例と同様の部分には、同一符号を付して説明を省略する。
【００５３】
板状ケーブルＣ２は、図９に示すように、ケーブル端子部６の両端にグランド配線用端子Ｇ，Ｇを備え、両グランド配線用端子Ｇ，Ｇ間に複数の信号配線用端子Ｓ，Ｓ...が配置されている。
【００５４】
一方、弾性抜け止め部材４０は、導電性金属板材を打ち抜き、折り曲げ加工することにより一体に形成され、上述の実施例と同様に、平板状の固定板部２１と、固定板部２１の側縁より垂直上向きに折り曲げた形状の支持部２２とを備えている。
【００５５】
尚、固定板部２１は、接続基板Ｂに形成されたグランドパターンＧＰに半田付けされるようになっている。
【００５６】
また、この弾性抜け止め部材４０は、支持部２２の上縁部に支持された互いに平行な二股状に形成され弾性係止片４２と弾性押上片４３とを備え、弾性押上片４３は、弾性係止片４２のコネクタ奥行き方向奥側に配置されている。
【００５７】
また、弾性係止片４２及び弾性押上片４３は、同形状に形成され、支持部２２の上縁よりコネクタ幅方向内側下方に向けて傾斜した形状のガイド片部４２ａ，４３ａを備えるとともに、ガイド片部４２ａ，４３ａのコネクタ幅方向内側にそれぞれ係止部４２ｂ、接触部４３ｂを備え、支持部２２側端部を基軸に上下方向で弾性変形できるようになっている。
【００５８】
両ガイド片部４２ａ，４３ａは、先端がコネクタ幅方向でケーブル嵌合部２の内側面と略同じ位置且つ内底面と略同じ高さとなるように形成され、板状ケーブルＣ２を装着する際の位置決め用ガイドとして機能するようになっている。
【００５９】
係止部４２ｂ及び接触部４３ｂは、ガイド片先端部より上方に膨出した円弧状に折り曲げた形状に形成され、ケーブル嵌合部２側部のコネクタ奥行き方向手前側部に出入り可能に突出し、この係止部４２ｂ及び接触部４３ｂを上方より押圧することにより弾性係止片４２及び弾性押上片４３が弾性変形してケーブル嵌合部２内より退避する方向に移動し、押圧力が解除されると弾性復帰してケーブル嵌合部２内に突出するようになっている。
【００６０】
このように構成された板状ケーブル用コネクタ４１は、板状ケーブルＣ２をケーブル嵌合部２に嵌め込む際に、弾性係止片４２及び弾性押上片４３が板状ケーブルＣ２の被係合部７，７下面により底板側に押圧されてケーブル嵌合部２より退避する方向に弾性変形し、ケーブル端子部６をケーブル嵌合部２に向けて水平スライド移動させる際にその移動を阻害しないようになっている。
【００６１】
一方、ケーブル端子部６をスライド移動させると被係合部７が浮き上がり防止片３６，３６下に挿入されるとともに、被係合部７，７のコネクタ奥行き方向奥側縁が当て止め部３１，３１に当て止めされてケーブル端子部６がケーブル嵌合部２内に嵌り込み、ケーブル端子部６の移動に伴い被係合部７，７の位置が弾性係止片４２，４２上より移動すると、弾性係止片４２，４２が押圧された状態から解除されて弾性復帰し、図９に示すように、弾性係止片４２，４２が被係合部７，７のコネクタ奥行き方向手前側に突出して板状ケーブルＣ２の移動を規制する一方、弾性押上片４３，４３が板状ケーブルＣ２の片面側に露出したグランド配線端子Ｇ，Ｇに弾性接触するようになっている。
【００６２】
これにより、板状ケーブルＣ２の各グランド配線用端子Ｇ，Ｇは、弾性抜け止め部材４０，４０を介してグランド接続されてシールド効果を発揮し、信号配線Ｓ，Ｓ...に対する外部ノイズを遮蔽できるようになっている。
【００６３】
尚、上述の実施例では、ホールドダウン部材１１と弾性抜け止め部材２０（４０）とをそれぞれ独立した部品とした例について説明したが、ホールドダウン部材と弾性抜け止め部材とを同一の金型を用いて一体に形成してもよい。
【符号の説明】
【００６４】
Ｂ  接続基板
Ｃ，Ｃ２  板状ケーブル
Ｓ  信号配線用端子
Ｇ  グランド配線用端子
１  板状ケーブル用コネクタ
２  ケーブル嵌合部
３  ハウジング
４  弾性接触部
５  コンタクト
６  ケーブル端子部
７  被係合部
８  補強板
１０  モールド部材
１１  ホールドダウン部材
１２  底板部
１３  側壁部
１４  中央開口部
１５  基部
１６  連結部
１７  基板接続部
１８  切欠き部
２０  弾性抜け止め部材
２１  固定板部
２２  支持部
２３  弾性係止片
２４  段差部
２５  変形防止ガイド片部
２６  ガイド片部
２７  係止部
３０  フレーム部
３１  当て止め部片
３２  上板片
３３  側板片
３４  基板接続片
３５  固定部
３６  浮き上がり防止片
４０  弾性抜け止め部材
４１  板状ケーブル用コネクタ
４２  弾性係止片
４３  弾性押上片
【図１】
0005305052.tif 000002
【図２】
0005305052.tif 000003
【図３】
0005305052.tif 000004
【図４】
0005305052.tif 000005
【図５】
0005305052.tif 000006
【図６】
0005305052.tif 000007
【図７】
0005305052.tif 000008
【図８】
0005305052.tif 000009
【図９】
0005305052.tif 000010
【図１０】
0005305052.tif 000011